(57)【特許請求の範囲】
【請求項１】
第１筐体に対して向きが変更可能な表示面を有する第２筐体と、
外部機器を取付可能であり、前記第２筐体が有する面のうち前記表示面以外の面に設けられた、前記外部機器を電気的に接続する端子を有する第１取付部と、
を備える表示装置。
【請求項２】
前記第１取付部は、前記第２筐体が有する面のうち前記表示面がある面以外に設けられている請求項１に記載の表示装置。
【請求項３】
前記第１取付部は、前記第２筐体が有する面のうち前記表示面と反対側の面に設けられている請求項１または２に記載の表示装置。
【請求項４】
前記第１取付部は、前記第２筐体に収納可能であることを特徴とする請求項１〜請求項３の何れか一項に記載の表示装置。
【請求項５】
前記第１筐体は、外部機器を取付可能であり、かつ電気的に接続する端子を有する第２取付部を備える請求項１〜請求項４の何れか一項に記載の表示装置。
【請求項６】
前記第２筐体は、前記表示面の傾きを計測する水準器を備える請求項１〜５の何れか一項に記載の表示装置。
【請求項７】
前記外部機器は、外部マイクである請求項１〜請求項６の何れか一項に記載の表示装置。
【請求項８】
前記外部機器は、ＧＰＳユニットである請求項１〜請求項６の何れか一項に記載の表示装置。
【請求項９】
前記外部機器は、電子ビューファインダである請求項１〜請求項６の何れか一項に記載の表示装置。
【発明の詳細な説明】
【技術分野】
【０００１】
本発明は、表示装置に関するものである。
【背景技術】
【０００２】
従来、外部マイクの取付けが可能な撮像装置が知られている（例えば、特許文献１参照）。この撮像装置は、装置本体にカメラシューアダプタを固定して、そのカメラシューアダプタに外部マイクを取付けている。
【先行技術文献】
【特許文献】
【０００３】
【特許文献１】特許第３５３８８７５号公報
【発明の概要】
【発明が解決しようとする課題】
【０００４】
しかしながら、上述の撮像装置は、外部マイクを取付けるためのカメラシューアダプタを装置本体に固定する必要があるため、装置全体が大きくなってしまい持ち運びが不便になるという問題がある。
【０００５】
本発明の目的は、外部機器を取付けても持ち運びしやすい表示装置を提供することである。
【課題を解決するための手段】
【０００６】
本発明の表示装置は、第１筐体に対して向きが変更可能な表示面を有する第２筐体と、外部機器を取付可能であり、前記第２筐体が有する面のうち前記表示面以外の面に設けられた、前記外部機器を電気的に接続する端子を有する第１取付部とを備える。
【発明の効果】
【０００７】
本発明の表示装置によれば、外部機器を取付けても持ち運びしやすくすることができる。
【図面の簡単な説明】
【０００８】
【図１】実施の形態に係るデジタルカメラの外観を示す正面図である。
【図２】実施の形態に係るデジタルカメラの外観を示す背面図である。
【図３】実施の形態に係る表示部を開いた状態のデジタルカメラを示す背面図である。
【図４】実施の形態に係る表示部を開いた状態のデジタルカメラを示す正面図である。
【図５】ＧＰＳユニットを取り付けたデジタルカメラの外観を示す正面図である。
【図６】ＧＰＳユニットを取り付けたデジタルカメラの外観を示す側面図である。
【図７】他の形状のアクセサリー取付部を示す図である。
【発明を実施するための形態】
【０００９】
以下、図面を参照して、本発明の実施の形態に係る撮像装置としてのデジタルカメラについて説明する。図１は実施の形態に係るデジタルカメラの外観を示す正面図である。図１に示すようにデジタルカメラ２の前面には、被写体からの光を不図示の撮像素子に導く撮影レンズ４、内蔵フラッシュからの光を射出するフラッシュ窓６が設けられている。また、デジタルカメラ２の上面には、静止画像あるいは動画像の撮影時に合焦や撮影開始の指示操作を行うレリーズボタン８、撮影用の照明光を発光する照明装置を装着するホットシュー１０が設けられている。
【００１０】
図２は実施の形態に係るデジタルカメラの外観を示す背面図である。図２に示すようにデジタルカメラ２の背面には、被写体を目視観察するために用いる若しくは撮影画像を表示する接眼式電子ビューファインダ（以下、ＥＶＦという。）１２、メニュー項目等の選択や様々な設定操作を受け付ける操作ボタン１４、ＬＣＤパネル１６ａに撮影画像及び撮影に関する種々の情報を表示する表示部１６が設けられている。
【００１１】
表示部１６は、デジタルカメラ２の本体に対し、ヒンジ部１８を回転軸として左右方向に回動可能であり、かつ上下方向に回転可能に取り付けられた所謂バリアングル方式の表示部である。即ち、表示部１６は、図２に示すようにデジタルカメラ２の背面に合わさるように位置する閉状態と、図３に示すようにデジタルカメラ２を背面側から見たときのデジタルカメラ２の筐体の左側に位置する開状態との間で回動可能である。更に表示部１６は、開状態のときデジタルカメラ２の本体に対して上下方向に回転可能であり、ＬＣＤパネル１６ａを反転させる等、ＬＣＤパネル１６ａの向きを変えることができる。
【００１２】
図４は実施の形態に係る表示部を開いた状態のデジタルカメラを示す正面図である。この図４は、図３に示す状態のデジタルカメラ２の外観を正面から見たものである。図４に示すように表示部１６のＬＣＤパネル１６ａが設けられている面の反対面には、ＧＰＳユニットや外部マイク等の外部機器を取付けるためのホットシューとしてのアクセサリー取付部２２が設けられている。ここで、ＧＰＳユニットは、ＧＰＳ衛星から電波を受信し、受信した電波に基づいて現在位置を計測する機器である。また外部マイクは、周囲の音声を集音する機器である。
【００１３】
なお、アクセサリー取付部２２は、ポップアップ型であり、表示部１６のアクセサリー取付部２２が設置されている面よりも外側に突出する突出状態又は、表示部１６内に収納される収納状態の何れかの状態に切り替え可能に構成される。また表示部１６には、収納状態になったアクセサリー取付部２２の上方を覆う例えばスライド式のカバー部（図示せず）が設けられている。
【００１４】
アクセサリー取付部２２には、外部機器と電気的に接続するための接点が設けられている。アクセサリー取付部２２の接点は、表示部１６内及びヒンジ部１８内を介してデジタルカメラ２の不図示の基板に接続されている。従ってアクセサリー取付部２２に外部機器を取り付けたとき、外部機器とデジタルカメラ２とが電気的に接続される。
【００１５】
また、表示部１６は、ヒンジ部１８が設けられている側面に対して、反対側に位置する側面に外部機器の端子と接続するための端子２０（図５、図６参照。）を有している。この端子２０は、表示部１６内及びヒンジ部１８内を介してデジタルカメラ２の不図示の基板に接続されている。そのため接点を備えていない外部機器をアクセサリー取付部２２に取付ける場合には、外部機器側の端子を端子２０に接続させてデジタルカメラ２と外部機器とを電気的に接続させる。
【００１６】
次に、上述のデジタルカメラ２のアクセサリー取付部２２にＧＰＳユニットを取付けて使用する場合について説明する。ここでＧＰＳユニットは、アクセサリー取付部２２の接点に接続する接点を備えていないものとする。先ず図５に示すように、アクセサリー取付部２２の向きがホットシュー１０と同じ向きになるように表示部１６を回転させ、ＧＰＳユニット２４をアクセサリー取付部２２に取付ける。そして端子２０にＧＰＳユニット２４側の端子を差し込んで接続させることにより、ＧＰＳユニット２４が使用可能となる。
【００１７】
ＧＰＳユニット２４による電波受信の感度が悪い場合には、図６の矢印で示すデジタルカメラ２の上下方向に表示部１６を回転させ、電波受信の感度の良い位置にＧＰＳユニット２４の向きを調整する。
【００１８】
なお、アクセサリー取付部２２にＧＰＳユニット２４を取付けて使用する場合には、表示部１６を回転させて、図５に示すようにＬＣＤパネル１６ａを下方に向ける場合がある。この場合、撮影者はＬＣＤパネル１６ａに表示される画像の確認ができず、撮影を行なうことが不便になる。そのためデジタルカメラ２の制御部は、端子２０に外部機器の端子が接続された場合には、ＥＶＦ１２がオンの状態になるように制御を行ない、撮影者がＥＶＦ１２を覗きながら撮影を行なうことができるようにする。
【００１９】
この実施の形態によれば、バリアングル方式の表示部１６のＬＣＤパネル１６ａが設けられている面の反対側の面にアクセサリー取付部２２を設けている。そのためカメラシューアダプタ等を用いること無く外部機器を取付けることができ、外部機器を取付けた場合に持ち運びしやすく利便性が向上する。
【００２０】
また、ホットシュー１０とアクセサリー取付部２２とを使えば、カメラシューアダプタ等をデジタルカメラ２に取付けること無く、複数の外部機器を同時に取付けることができてより利便性が向上する。
【００２１】
また、図６に示すように表示部１６の側面に、アクセサリー取付部２２に取付けたＧＰＳユニット２４の端子を接続する端子２０が設けられているため、表示部１６を回転させた場合にＧＰＳユニット２４から伸びるコードが表示部１６に絡まることを防止することができる。
【００２２】
なお、上述の実施の形態においては、アクセサリー取付部２２に外部マイクを取付けることも可能である。アクセサリー取付部２２に外部マイクを取り付けた場合には、表示部１６を回転させることにより、外部マイクを音源が存在する方向に向けることができ、例えば撮影者の音声等を録音することができる。またホットシュー１０に外部マイクを取付ける場合と比較して、外部マイクとデジタルカメラ２の筐体との距離が離れる。そのため外部マイクが集音する音声にズーム位置やフォーカス位置を移動させた時の撮影レンズの駆動音が入らなくなり、雑音の無い音声を録音することができる。
【００２３】
また、上述の実施の形態においては、被写体に光を照射する外付けのフラッシュ装置をアクセサリー取付部２２に取付けることも可能である。アクセサリー取付部２２にフラッシュ装置を取付けることにより、内蔵フラッシュからの光をフラッシュ窓６から射出する場合と比較して、撮影レンズ４から離れた位置からの光により被写体に照射することができる。従って被写体に対して斜め方向から光を照射することができ、人物を撮影した際に人物の目が赤目になるのを防止することができる。
【００２４】
また、アクセサリー取付部２２に取り付けたフラッシュ装置によって撮影レンズ４から離れた位置からの光を被写体に対して照射することにより、ケラレの発生しない範囲を拡大させることができる。更にアクセサリー取付部２２にフラッシュ装置を取り付けた状態で表示部１６を回転させることにより、容易にバウンス撮影を行なうことができる。
【００２５】
また、上述の実施の形態においては、アクセサリー取付部２２に外付けのＥＶＦを取付けることも可能である。例えばＥＶＦを備えていないデジタルカメラであって、太陽光の明るさによってＬＣＤパネル１６ａに表示されているスルー画像が見づらい場合には、外付けのＥＶＦをアクセサリー取付部２２に取付けることにより、ＥＶＦを覗きながら撮影を行なうことができる。
【００２６】
また、上述の実施の形態においては、アクセサリー取付部２２が外部機器と電気的に接続するための接点を有している。しかしこれに限らずアクセサリー取付部２２は、接点を有していない外部機器を取付けるだけのアクセサリーシューであってもよい。
【００２７】
また、上述の実施の形態においては、表示部１６の傾きを計測して視認可能に表示する水準器を設けてもよい。
【００２８】
また、上述の実施の形態においては、アクセサリー取付部２２を図４に示す形状のホットシューとしたが、これに限らず図７に示すように表示部１６のＬＣＤパネル１６ａが設けられている面の反対側の面に溝を形成し、その溝の側面に凹形状の嵌合部３０ａを形成したアクセサリー取付部３０であってもよい。その場合、外部機器側に形成された凸形状の取付部を嵌合部３０ａに嵌合させてアクセサリー取付部３０に外部機器を取付ける。なお、このようなアクセサリー取付部３０を設けた場合においても、上述の実施の形態のアクセサリー取付部２２を設けた場合と同様に、アクセサリー取付部３０の上面を覆う例えばスライド式のカバ−部を設けることが好ましい。
【符号の説明】
【００２９】
２…デジタルカメラ、４…撮影レンズ、６…フラッシュ窓、８…レリーズボタン、１０…ホットシュー、１２…ＥＶＦ、１４…操作ボタン、１６…表示部、１６ａ…ＬＣＤパネル、１８…ヒンジ部、２０…端子。
【図１】
0005891825.tif 000002
【図２】
0005891825.tif 000003
【図３】
0005891825.tif 000004
【図４】
0005891825.tif 000005
【図５】
0005891825.tif 000006
【図６】
0005891825.tif 000007
【図７】
0005891825.tif 000008